(57)【要約】      （修正有）【課題】別途変換アダプターを準備することなく、シガーライターソケット又はＵＳＢレセプタクルから電力の供給を受けて、電子機器に電力を供給することが可能な電子機器用充電器を提供する。【解決手段】電子機器用充電器１０は、先端に配置されるＵＳＢ・Ａプラグ２０と、側壁１２に配置される側部出入端子２４と、電子機器９４に電力を供給する電子機器用端子１６とを備える。パソコン９０のＵＳＢ・Ａレセプタクル９２にＵＳＢ・Ａプラグ２０に直接装着して電力の供給を受けて、電子機器用端子１６を介して電子機器９４に電力を供給する機能を有する。更に、電子機器用充電器１０をシガーライターソケット８２に挿入して、ＵＳＢ・Ａプラグ２０のシールド２２及び側部出入端子２４を介して電力の供給を受ける機能を有する。【選択図】図１
0003189642.tif 000002
【実用新案登録請求の範囲】
【請求項１】
先端に配置されるシールド付コネクタプラグと、側壁に配置される側部出入端子と、電子機器に電力を供給する電子機器用端子とを有し、
前記シールド付コネクタプラグを介して電力の供給を受けて、電子機器用端子を介して電力を供給する機能と、
前記シールド付コネクタプラグのシールド及び側部出入端子を介してシガーライターソケットから電力の供給を受けて、電子機器用端子を介して電力を供給する機能と
を備える電子機器用充電器。
【請求項２】
前記シールド付コネクタプラグは、ＵＳＢ・Ａプラグである
請求項１に記載の電子機器用充電器。
【請求項３】
前記シールドは、前記シガーライターソケットの中央電極と接触して導通し、
前記側部出入端子は、前記シガーライターソケットの側壁電極と接触して導通する
請求項１又は２に記載の電子機器用充電器。
【請求項４】
前記シールド付コネクタプラグは、出入可能な出入構造を有し、前記シールド付コネクタプラグを突出する方向に付勢する付勢部を備える
請求項１乃至３のいずれかに記載の電子機器用充電器。
【請求項５】
前記側部出入端子は、出入可能な出入構造を有し、前記側部出入端子を突出する方向に付勢する弾性部を備える
請求項１乃至４のいずれかに記載の電子機器用充電器。
【請求項６】
前記シールド付コネクタプラグのシールド及び側部出入端子から電力の供給を受けて、電圧を変換して電子機器用端子に電力を出力する、電圧変換器を備える
請求項１乃至５のいずれかに記載の電子機器用充電器。
【請求項７】
前記シールド又は側部出入端子と、電圧変換器との間に逆流防止ダイオードを有する
請求項６に記載の電子機器用充電器。
【請求項８】
前記シールド付コネクタプラグ又は前記シガーライターソケットから電力の供給を受けている状態であって、前記電子機器用端子を介して電力を供給することが可能な状態にあることを通知する通電灯を有する
請求項１乃至７のいずれかに記載の電子機器用充電器。
【考案の詳細な説明】
【技術分野】
【０００１】
本考案は、車両等に設置されているシガーライターソケットや、ＵＳＢレセプタクル等の汎用レセプタクルに装着して電力の供給を受けることが可能な電子機器用充電器に関する。
【背景技術】
【０００２】
従来の、ＵＳＢプラグ（ＵＳＢは登録商標）やＬｉｇｈｔｎｉｎｇプラグ（Ｌｉｇｈｔｎｉｎｇは登録商標）を介して、電子機器に電源を供給する電子機器用充電器では、電力の供給を受ける側の入力コネクタとして、専用のコネクタが用いられていた。
【０００３】
例えば、特許文献１（特開２００９−１７７９９６号公報）のストラップ型携帯端末用充電器では、電力の供給を受ける側の電源接続部（４）からの電源をコネクタ部（５）に制御して供給する構成を用いている。そして、この電源接続部（４）として、家庭用電源コンセントに接続可能なコンセントプラグ、パーソナルコンピュータ用ＵＳＢポートに接続可能なＵＳＢコネクタ、又は車両シガーライター用電源口に接続可能なソケットプラグのいずれかを用いることができることが記載されている。
【先行技術文献】
【特許文献】
【０００４】
【特許文献１】特開２００９−１７７９９６号公報
【考案の概要】
【考案が解決しようとする課題】
【０００５】
従来電子機器用充電器において、電力の供給を受ける側の入力コネクタには、家庭用電源コンセント、ＵＳＢレセプタクル、又はシガーライターソケット等の専用の入力コネクタがある。それぞれの異なるコネクタに適応させて接続するためには、別途変換アダプターを準備して、この変換アダプターを介在させて、コネクタ及び電圧の変換を行う必要があった。
【０００６】
本考案の目的は、車両等に設置されているシガーライターソケットと、ＵＳＢレセプタクル等の汎用レセプタクルとに直接装着して電力の供給を受けることが可能な、電子機器用充電器を提供することである。
【課題を解決するための手段】
【０００７】
以下に、（考案を実施するための形態）で使用される番号を用いて、課題を解決するための手段を説明する。これらの番号は、（実用新案登録請求の範囲）の記載と（考案を実施するための形態）との対応関係を明らかにするために付加されたものである。ただし、それらの番号を、（実用新案登録請求の範囲）に記載されている考案の技術的範囲の解釈に用いてはならない。
【０００８】
本考案に係る電子機器用充電器（１０）は、先端に配置されるシールド付コネクタプラグ（２０）と、側壁（１２）に配置される側部出入端子（２４）と、電子機器（９４）に電力を供給する電子機器用端子（１６）とを有する。電子機器用充電器（１０）は、シールド付コネクタプラグ（２０）を介して電力の供給を受けて、電子機器用端子（１６）を介して電子機器（９４）に電力を供給する機能を備えている。更に、シールド付コネクタプラグ（２０）のシールド（２２）及び側部出入端子（２４）を介してシガーライターソケット（８２）から電力の供給を受けて、電子機器用端子（１６）を介して電子機器（９４）に電力を供給する機能を備える。
【０００９】
電子機器用充電器（１０）は、シールド付コネクタプラグ（２０）として、ＵＳＢ・Ａプラグ（２０）を用いることができる。
【００１０】
シールド（２２）は、シガーライターソケット（８２）の中央電極（８４）と接触して導通し、側部出入端子（２４）は、シガーライターソケット（８２）の側壁電極（８６）と接触して導通する構成である。
【００１１】
シールド付コネクタプラグ（２０）は、出入可能な出入構造を有し、シールド付コネクタプラグ（２０）を突出する方向に付勢する付勢部（２８）を備える。
【００１２】
側部出入端子（２４）は、出入可能な出入構造を有し、側部出入端子（２４）を突出する方向に付勢する弾性部（２５）を備える。
【００１３】
電子機器用充電器（１０）は、シールド付コネクタプラグ（２０）のシールド（２２）及び側部出入端子（２４）から電力の供給を受けて、電圧を変換して電子機器用端子（１６）に電力を出力する、電圧変換器（３０）を備える。
【００１４】
電子機器用充電器（１０）は、シールド（２２）又は側部出入端子（２４）と、電圧変換器（３０）との間に逆流防止ダイオード（２７）を有する。
【００１５】
電子機器用充電器（１０）は、シールド付コネクタプラグ（２０）又はシガーライターソケット（８２）から電力の供給を受けている状態であって、電子機器用端子（１６）を介して電力を供給することが可能な状態にあることを通知する通電灯（２６）を有する。
【考案の効果】
【００１６】
本考案の電子機器用充電器を用いることによって、車両等に設置されているシガーライターソケットと、ＵＳＢレセプタクル等の汎用レセプタクルとの双方に直接装着して電力の供給を受け、出力コネクタを介して電子機器に電力を供給することができる。そして、本考案の電子機器用充電器を用いることによって、別途変換アダプターを用いることなく、電子機器に電力を供給して、充電等を行うことができる。
【図面の簡単な説明】
【００１７】
【図１】図１は、本考案の実施形態に係る電子機器用充電器の外観図と、接続例とを示す図である。
【図２】図２は、本考案の電子機器用充電器をシガーライターソケットに装着した状態を示す一部断面図である。
【図３】図３は、本考案の電子機器用充電器の回路構成例を示す図である。
【図４】図４は、本考案の逆流防止ダイオードにおける、他の実施形態を示す回路図である。
【考案を実施するための形態】
【００１８】
添付図面を参照して、本考案による電子機器用充電器を実施するための形態を、以下に説明する。
【００１９】
図１は、本考案の実施形態に係る電子機器用充電器１０と、シガーライターソケット８２、ＵＳＢ・Ａレセプタクル９２、及び電子機器９４との接続例を示す図である。図２は、電子機器用充電器１０をシガーライターソケット８２に装着した状態を示す一部断面図である。
【００２０】
最初に、図１に示す電子機器用充電器１０の用途について説明する。図１に示す電子機器用充電器１０は、直接ＵＳＢ・Ａレセプタクル９２や、シガーライターソケット８２に装着して電力の供給を受けて、携帯電話や通信端末、ゲーム機、タブレット端末等の電子機器９４に対して電力を供給する機器である。
【００２１】
図１を参照して、本考案の実施形態に係る電子機器用充電器１０は、ＵＳＢ・Ａプラグ２０（シールド付コネクタプラグの一形態）と、側部出入端子２４と、通電灯２６と、ケーブル１４と、電子機器用端子１６と、キャップ１８とを備えている。
【００２２】
車両８０のダッシュボード８３には、電力を出力することが可能な、シガーライターソケット８２が設置されている。パソコン９０の前面には、電力の供給及び情報の送受信を行うことが可能な、ＵＳＢ・Ａレセプタクル９２が設置されている。
【００２３】
ＵＳＢ・Ａプラグ２０は、一般のＵＳＢ・Ａレセプタクル９２に対して装着可能なコネクタであり、電力の供給や情報の送受信を行うための汎用のコネクタである。これに加えて本考案に係るＵＳＢ・Ａプラグ２０は、シガーライターソケット８２内に挿入した際に、シガーライターソケット８２の中央電極８４（図２参照）と導通した状態を維持させるために、ＵＳＢ・Ａプラグ２０自体が機械的に出入可能な構造を有している。
【００２４】
ＵＳＢ・Ａプラグ２０に対して力を加えない状態では、突出した状態を維持する。ＵＳＢ・Ａプラグ２０は、電子機器用充電器１０の内部側に押し込む方向に力を加えると、ＵＳＢ・Ａプラグ２０自体を０．５〜５ｍｍ程度電子機器用充電器１０の内部方向に押し込むことが可能な、出入構造を有している。また、ＵＳＢ・Ａプラグ２０のシールド２２は、電子機器用充電器１０をシガーライターソケット８２に挿入させた最に、シガーライターソケット８２の中央電極８４（図２参照）と接触し続けて、導通を維持することができる。
【００２５】
側部出入端子２４は、機械的に出入可能な接点（端子）が側壁１２から突出した状態に形成されている。側部出入端子２４は、電子機器用充電器１０をシガーライターソケット８２に挿入させた最に、シガーライターソケット８２の円筒内面に形成されている側壁電極８６（図２参照）を内側から放射方向に押圧するとともに、側壁電極８６との間で導通を維持することができる。
【００２６】
通電灯２６は、電子機器用充電器１０をパソコン９０のＵＳＢ・Ａレセプタクル９２や、シガーライターソケット８２に装着して電力の供給を受けている状態において点灯するパイロットランプである。利用者は、通電灯２６が点灯していることで、電子機器用充電器１０が電子機器９４に対して電力を供給することが可能な状態にあることを確認することができる。
【００２７】
ケーブル１４は、パソコン９０のＵＳＢ・Ａレセプタクル９２や、シガーライターソケット８２に装着した電子機器用充電器１０の本体部分と、電子機器９４との間を接続して電力を供給する。
【００２８】
電子機器用端子１６は、電子機器９４に設けられている充電用ソケット９６等に装着するコネクタである。電子機器用端子１６として、電子機器９４の仕様に応じて、ミニ／マイクロ型のＵＳＢプラグや、Ｌｉｇｈｔｎｉｎｇプラグ、専用の電源供給用プラグ等を用いることができる。
【００２９】
キャップ１８は、ＵＳＢ・Ａプラグ２０を保護する機能を有する。電子機器用充電器１０を使用しない場合には、キャップ１８を電子機器用充電器１０の先端に被せておく。これにより、持ち運び中にＵＳＢ・Ａプラグ２０の開口部に塵埃が進入する不具合を防止し、ＵＳＢ・Ａプラグ２０を保護することができる。
【００３０】
電子機器用充電器１０を用いて電子機器９４に電力を供給する場合には、先ず電子機器用充電器１０を、パソコン９０のＵＳＢ・Ａレセプタクル９２又はシガーライターソケット８２に装着して、電力の供給を受ける。通電が確立すると、通電灯２６が点灯するので、利用者は電力供給の準備が整っていることを知ることができる。次に、電子機器用充電器１０の電子機器用端子１６を、電子機器９４の充電用ソケット９６に装着して、電子機器９４に電力を供給する。
【００３１】
電子機器用充電器１０を用いてパソコン９０のＵＳＢ・Ａレセプタクル９２から電力の供給を受ける場合には、電子機器用充電器１０のＵＳＢ・Ａプラグ２０を、直接パソコン９０のＵＳＢ・Ａレセプタクル９２に装着する。電力は、ＵＳＢ・Ａレセプタクル９２のＶＢＵＳ及びＧＮＤ端子から、５Ｖの電圧を入力することができる。また、電子機器用端子１６として、ミニ／マイクロＵＳＢプラグや、Ｌｉｇｈｔｎｉｎｇプラグを用いる場合には、ＵＳＢのＤ＋及びＤ−端子を用いて、パソコン９０と電子機器９４との間で、情報の送受信を行うこともできる。
【００３２】
一方、電子機器用充電器１０を用いてシガーライターソケット８２から電力の供給を受ける場合には、電子機器用充電器１０本体をシガーライターソケット８２に、直接挿入する。電力は、シガーライターソケット８２の内部に配置されている側壁電極８６及び中央電極８４（図２参照）から、ＤＣ１２−２４Ｖの電圧の供給を受けて、降圧させた後に電子機器９４に供給することができる。
【００３３】
次に、図２を用いて、電子機器用充電器１０が車両８０等のシガーライターソケット８２から電力の供給を受ける場合における、電極の接続例について説明する。なお、図１に示した部位と同一の部位については、同一の符号を付してその説明を省略する。
【００３４】
図２を参照して、一般のシガーライターソケット８２は、シガーライターソケット８２の内側面に配置される円筒形の側壁電極８６と、シガーライターソケット８２奥の中央部に配置される中央電極８４とを有している。一般的な車両では、側壁電極８６はＧＮＤ端子（負極端子）であり、中央電極８４はＤＣ１２−２４Ｖの電圧を供給する端子（正極端子）である。
【００３５】
電子機器用充電器１０は、ＵＳＢ・Ａプラグ２０を突出する方向に付勢する付勢部２８と、側部出入端子２４を突出する方向に付勢する弾性部２５と、電圧を変換する回路等を実装する回路基板２１と、フレキシブルケーブル２３とを備えている。
【００３６】
図２に示す実施形態では、電子機器用充電器１０のＵＳＢ・Ａプラグ２０は、電子機器用充電器１０の内部から突出する方向に付勢されている。付勢部２８として、コイルばね、板ばね、ダイヤフラム、ゴム、樹脂、スポンジ、その他の弾性部材を用いることができる。
【００３７】
ＵＳＢ・Ａプラグ２０のシールド２２を含む各端子と回路基板２１における各端子とは、フレキシブルケーブル２３により接続されている。フレキシブルケーブル２３を用いて接続することにより、ＵＳＢ・Ａプラグ２０の出入動作を妨げないように構成されている。
【００３８】
図２に示す実施形態では、シガーライターソケット８２に電子機器用充電器１０本体を挿入したことにより、中央電極８４とＵＳＢ・Ａプラグ２０のシールド２２とが当接して、ＵＳＢ・Ａプラグ２０がストロークＳＴだけ押し込まれた状態で保持されている。このとき、付勢部２８がＵＳＢ・Ａプラグ２０を中央電極８４の方向に向けて付勢し続けているので、中央電極８４とＵＳＢ・Ａプラグ２０とを常時接触させておくことが可能となり、導通状態を維持することができる。
【００３９】
また、図２に示す実施形態では、電子機器用充電器１０の側部出入端子２４は、電子機器用充電器１０の内部から突出する方向に付勢されている。弾性部２５として、板ばねの他に、ヘアピンばね、コイルばね、ダイヤフラム、ゴム、樹脂、スポンジ、その他の弾性部材を用いることができる。
【００４０】
図２に示す状態では、シガーライターソケット８２に電子機器用充電器１０本体を挿入したことにより、側壁電極８６と側部出入端子２４とが当接して、側部出入端子２４が押し込まれた状態で保持されている。このとき、側部出入端子２４が側壁電極８６を内側から放射方向に付勢しているので、側壁電極８６と側部出入端子２４とを常時接触させておくことが可能となり、導通状態を維持することができる。また、電子機器用充電器１０がシガーライターソケット８２から脱落することを防ぐことができる。
【００４１】
図１及び図２に示す実施形態では、電力の供給を受ける側の入力コネクタとしてＵＳＢ・Ａプラグ２０を用いた実施形態を示しているが、本考案はＵＳＢ・Ａプラグ２０に限定するものではない。例えば、ミニ／マイクロ型のＵＳＢ・Ａプラグ等の他、シガーライターソケット８２の内径よりも小さな、その他のシールド付コネクタプラグを用いることができる。その場合には、シールド付コネクタプラグのシールドが、シガーライターソケット８２の中央電極８４に接触する形状及び大きさを有していることが好ましい。
【００４２】
次に、図３を用いて、電子機器用充電器１０の回路構成について説明する。図３を参照して、回路基板２１には、逆流防止ダイオード２７と、ヒューズ２９と、電圧変換器３０と、通電灯２６と、接続用の結線とが配置されている。
【００４３】
逆流防止ダイオード２７は、ＵＳＢ・Ａプラグ２０のシールド２２から入力した電圧のうち正極の電圧のみを電圧変換器３０に供給するための素子である。中央電極８４が負極で、側壁電極８６が正極（所謂プラスアース車）のシガーライターソケット８２に当該電子機器用充電器１０を挿入した場合であっても、逆流防止ダイオード２７が電圧変換器３０に対する電流の逆流を防止するので、電圧変換器３０の損傷や破壊を防止することができる。
【００４４】
なお、逆流防止ダイオード２７として、図４に示す全波整流型に組み合わせたダイオードブリッジを用いることもできる。この場合には、中央電極８４が負極で、側壁電極８６が正極（所謂プラスアース車）のシガーライターソケット８２に当該電子機器用充電器１０を挿入した場合であっても、電圧変換器３０には正常に電力が供給され、電子機器９４に対して電力を供給することができる。
【００４５】
ヒューズ２９は、何らかの原因で過大な電流が流れた場合に電力の供給路を遮断して、回路等の損傷を回避するためのものである。
【００４６】
電圧変換器３０は、例えばシガーライターソケット８２から入力したＤＣ１２−２４Ｖの直流電圧を、ＵＳＢで用いられる５Ｖの電圧に降圧して出力する素子、又は回路である。電圧変換器３０は、ＵＳＢ・Ａプラグ２０のシールド２２と、側部出入端子２４とから電力の供給を受ける。電圧変換器３０における降圧手段として、ＤＣ−ＤＣコンバータやレギュレータ等を用いることができる。また、電流制限回路を組み込むこともできる。
【００４７】
電圧変換器３０の出力は、ＵＳＢ・Ａプラグ２０及び電子機器用端子１６の、ＶＢＵＳ及びＧＮＤ端子に接続してある。通電灯２６も、ＵＳＢ・Ａプラグ２０及び電子機器用端子１６のＶＢＵＳ及びＧＮＤ端子に接続してあるので、ＵＳＢ・Ａプラグ２０を介して電力の供給を受けた場合、及びシガーライターソケット８２経由して電力の供給を受けた場合の双方において、通電時に点灯させることができる。
【００４８】
また、図３に示すように、ＵＳＢ・Ａプラグ２０の通信線（Ｄ＋、Ｄ−）と電子機器用端子１６の通信線とを接続しておくことによって、当該電子機器用充電器１０をＵＳＢ変換ケーブルとして、通信にも利用することができる。
【００４９】
上述のように、本考案に係る電子機器用充電器１０は、ＵＳＢ・Ａプラグ２０のシールド２２を介してシガーライターソケット８２の中央電極８４から電力の供給を受けて、適宜電圧を変換して出力する構成を用いる。これにより、別途変換アダプターを用いることなく、シガーライターソケット８２と、ＵＳＢ・Ａレセプタクル９２等の汎用レセプタクルとの双方に装着して、電力の供給を受けることができる。そして、電子機器９４に電力を供給することができる。
【００５０】
以上、実施の形態を参照して本考案による電子機器用充電器を説明したが、本考案による電子機器用充電器は上記実施形態に限定されない。上記実施形態に様々の変更を行うことが可能である。上記実施形態に記載された事項と上記他の実施形態に記載された事項とを組み合わせることが可能である。
【符号の説明】
【００５１】
１０... 電子機器用充電器
１２...側壁
１４...ケーブル
１６... 電子機器用端子
１８...キャップ
２０...ＵＳＢ・Ａプラグ（シールド付コネクタプラグ）
２１...回路基板
２２...シールド
２３...フレキシブルケーブル
２４...側部出入端子
２５...弾性部
２６...通電灯
２７...逆流防止ダイオード
２８...付勢部
２９...ヒューズ
３０...電圧変換器
８０...車両
８２...シガーライターソケット
８３...ダッシュボード
８４...中央電極
８６...側壁電極
９０...パソコン
９２...ＵＳＢ・Ａレセプタクル
９４... 電子機器
９６...充電用ソケット
【図１】
0003189642.tif 000003
【図２】
0003189642.tif 000004
【図３】
0003189642.tif 000005
【図４】
0003189642.tif 000006
【手続補正書】
【提出日】平成25年11月22日(2013.11.22)
【手続補正１】
【補正対象書類名】実用新案登録請求の範囲
【補正対象項目名】全文
【補正方法】変更
【補正の内容】
【実用新案登録請求の範囲】
【請求項１】
本体部分と、
前記本体部分の先端に配置されたシールド付コネクタプラグと、
前記本体部分の側壁に配置された側部出入端子と、
前記シールド付コネクタプラグ及び側部出入端子から離れて配置された電子機器用端子とを有し、
前記シールド付コネクタプラグを介して供給を受けた電力を、前記電子機器用端子を介して電子機器に供給する機能と、
前記シールド付コネクタプラグのシールド及び側部出入端子を介してシガーライターソケットから供給を受けた電力を、前記電子機器用端子を介して前記電子機器に供給する機能と
を備える電子機器用充電器。
【請求項２】
前記シールド付コネクタプラグは、ＵＳＢ・Ａプラグである
請求項１に記載の電子機器用充電器。
【請求項３】
前記シールドは、前記シガーライターソケットの中央電極と接触して導通し、
前記側部出入端子は、前記シガーライターソケットの側壁電極と接触して導通する
請求項１又は２に記載の電子機器用充電器。
【請求項４】
前記シールド付コネクタプラグは、出入可能な出入構造を有し、前記シールド付コネクタプラグを突出する方向に付勢する付勢部を備える
請求項１乃至３のいずれかに記載の電子機器用充電器。
【請求項５】
前記側部出入端子は、出入可能な出入構造を有し、前記側部出入端子を突出する方向に付勢する弾性部を備える
請求項１乃至４のいずれかに記載の電子機器用充電器。
【請求項６】
前記シールド付コネクタプラグのシールド及び側部出入端子から電力の供給を受けて、電圧を変換して電子機器用端子に電力を出力する、電圧変換器を備える
請求項１乃至５のいずれかに記載の電子機器用充電器。
【請求項７】
前記シールド又は側部出入端子と、電圧変換器との間に逆流防止ダイオードを有する
請求項６に記載の電子機器用充電器。
【請求項８】
前記シールド付コネクタプラグ又は前記シガーライターソケットから電力の供給を受けている状態であって、前記電子機器用端子を介して電力を供給することが可能な状態にあることを通知する通電灯を有する
請求項１乃至７のいずれかに記載の電子機器用充電器。
【手続補正書】
【提出日】平成26年1月22日(2014.1.22)
【手続補正１】
【補正対象書類名】実用新案登録請求の範囲
【補正対象項目名】全文
【補正方法】変更
【補正の内容】
【実用新案登録請求の範囲】
【請求項１】
本体部分と、
前記本体部分の先端に配置されたシールド付コネクタプラグと、
前記本体部分の側壁に配置された側部出入端子と、
前記本体部分に対してケーブルを介して接続された電子機器用端子とを有し、
前記シールド付コネクタプラグを介して供給を受けた電力を、前記電子機器用端子を介して電子機器に供給する機能と、
前記シールド付コネクタプラグのシールド及び側部出入端子を介してシガーライターソケットから供給を受けた電力を、前記電子機器用端子を介して前記電子機器に供給する機能と
を備える電子機器用充電器。
【請求項２】
前記シールド付コネクタプラグは、ＵＳＢ・Ａプラグである
請求項１に記載の電子機器用充電器。
【請求項３】
前記シールドは、前記シガーライターソケットの中央電極と接触して導通し、
前記側部出入端子は、前記シガーライターソケットの側壁電極と接触して導通する
請求項１又は２に記載の電子機器用充電器。
【請求項４】
前記シールド付コネクタプラグは、出入可能な出入構造を有し、前記シールド付コネクタプラグを突出する方向に付勢する付勢部を備える
請求項１乃至３のいずれかに記載の電子機器用充電器。
【請求項５】
前記側部出入端子は、出入可能な出入構造を有し、前記側部出入端子を突出する方向に付勢する弾性部を備える
請求項１乃至４のいずれかに記載の電子機器用充電器。
【請求項６】
前記シールド付コネクタプラグのシールド及び側部出入端子から電力の供給を受けて、電圧を変換して電子機器用端子に電力を出力する、電圧変換器を備える
請求項１乃至５のいずれかに記載の電子機器用充電器。
【請求項７】
前記シールド又は側部出入端子と、電圧変換器との間に逆流防止ダイオードを有する
請求項６に記載の電子機器用充電器。
【請求項８】
前記シールド付コネクタプラグ又は前記シガーライターソケットから電力の供給を受けている状態であって、前記電子機器用端子を介して電力を供給することが可能な状態にあることを通知する通電灯を有する
請求項１乃至７のいずれかに記載の電子機器用充電器。